(57)【特許請求の範囲】
【請求項１】
回路基板に装着された複数個の発光体と、透明または半透明の樹脂により受光面と照光面が対向したブロック状に形成されて所定位置に配列された複数個の照光体、および照光体と一体の樹脂により形成された細巾の湾曲した帯状で、隣接する照光体間を繋ぐ可撓性を有する連結帯を含む連結照光体と、遮光性の材料からなる仕切枠間の収容孔により、前記照光面が露出するように前記照光体を所定位置に配列保持すると共に、前記発光体が前記照光体の前記受光面側に位置するように回路基板を保持する基体部からなり、前記連結照光体の連結帯が、前記各照光体の受光面と照光面を除く側部の面同士を繋ぐ細巾のＵ字状に湾曲した帯状に形成されると共に、二色成形またはインサート成形により前記連結照光体の連結帯と一体に設けられた平板状で不透明の遮光板が、隣接する照光体の間に配された照光装置。
【請求項２】
回路基板に装着された複数個の発光体と、透明または半透明の樹脂により受光面と照光面が対向したブロック状に形成されて所定位置に配列された複数個の照光体、および照光体と一体の樹脂により形成された細巾の湾曲した帯状で、隣接する照光体間を繋ぐ可撓性を有する連結帯を含む連結照光体と、遮光性の材料からなる仕切枠間の収容孔により、前記照光面が露出するように前記照光体を所定位置に配列保持すると共に、前記発光体が前記照光体の前記受光面側に位置するように回路基板を保持する基体部からなり、前記連結照光体の連結帯が、各照光体の受光面と照光面を除く側部の面より細巾の直線状の帯状に形成された導出部と、この導出部に対して直角に湾曲して繋がれており、細巾のＵ字状に湾曲した帯状に形成された照光装置。
【請求項３】
二色成形またはインサート成形により連結照光体の連結帯と一体に設けられた平板状で不透明の遮光板が、隣接する照光体の間に配された請求項２に記載の照光装置。
【請求項４】
回路基板に装着された複数個の発光体付きの押釦スイッチと、透明または半透明の樹脂により受光面と照光面が対向したブロック状に形成されて所定位置に配列された複数個の照光体、および照光体と一体の樹脂により形成された細巾の湾曲した帯状で、隣接する照光体間を繋ぐ可撓性を有する連結帯を含む連結照光体と、遮光性の材料からなる仕切枠間の収容孔により、前記照光面が露出するように前記照光体を所定位置に配列保持すると共に、前記発光体が前記照光体の前記受光面側に位置するように回路基板を保持する基体部からなり、前記連結照光体の連結帯が、各照光体の受光面と照光面を除く側部の面より細巾の直線状の帯状に形成された導出部と、この導出部に対して直角に屈曲して繋がれており、細巾のＵ字状に湾曲した帯状に形成されると共に、前記連結照光体の複数個の照光体が、前記基体部の収容孔により前記受光面と前記照光面が対向する方向に互いに独立して所定の範囲で動き得るように保持され、前記発光体付きの押釦スイッチの操作ボタンを兼ねる照光装置。
【請求項５】
連結照光体の両端に配された各照光体の外方に、前記照光体間の連結帯と同様の連結帯で繋がれて基体部に保持されたブロック状のダミー体を形成した請求項４に記載の照光装置。
【発明の詳細な説明】
【０００１】
【発明の属する技術分野】
本発明は、各種電子機器に用いられる照光装置に関するものである。
【０００２】
【従来の技術】
従来の照光装置の技術を、電子機器の操作パネルに設けた照光装置を例として、図９および図１０を用いて説明する。
【０００３】
図９は従来の照光装置の側面断面図、図１０は同分解斜視図であり、図１０は構成が解り易いように図９とは上下を反対にした場合を示している。
【０００４】
同図において、１は回路基板、２は回路基板１上に実装されたＬＥＤ等の複数個の発光体、３は発光体２の駆動回路、４は複数個の発光体２から発光された光を受光面４Ａに受けて対向する照光面４Ｂが照光するように各発光体２の上方に配された透明または半透明の樹脂製ブロック状の複数個の照光体で、２個以上の照光体４の間を、照光体４と一体の樹脂により細径の直線状に形成された連結部４Ｃにより繋がれている。５は回路基板１の上方に配置された遮光性の材料からなる基体部で、複数個の照光体４の上部周縁部４Ｄを挿入保持するために仕切枠５Ａの間に設けられた複数の貫通した収容孔５Ｂを有している。６は固定用のネジで、回路基板１のネジ挿入孔１Ａに通して、基体部５のボス５Ｃのネジ孔５Ｄにネジ締め固定される。
【０００５】
次に同照光装置の組立方法について説明すると、細径の直線状の連結部４Ｃにより連結された２個以上の照光体４を、一括して基体部５の収容孔５Ｂにそれぞれ挿入保持させた後、発光体２、駆動回路３等が実装された回路基板１を基体部５にネジ６により固定するものであり、複数の照光体４を連結一体化して部品点数および組立工数を少なくしていた。
【０００６】
【発明が解決しようとする課題】
しかしながら、上記従来の操作パネルに設けた照光装置では、細径の直線状に形成された連結部４Ｃにより繋がれた２個以上の照光体４は、連結部４Ｃの長さ方向に成形加工時の樹脂の熱収縮による寸法バラツキおよび環境温度変化による寸法変化が生じ易いため、基体部５の複数の収容孔５Ｂに一つずつ挿入保持させる際に、隣接する照光体４の間隔寸法が小さいと連結部４Ｃを引張り気味にし、また逆に間隔寸法が大きいと連結部４Ｃを圧縮気味にして、複数の収容孔５Ｂの間隔寸法に合わせて挿入しなければならないため組立作業性が悪いと共に、照光体４が収容孔５Ｂの中で一方に寄ってしまうため外観上の見映えが悪いという課題があり、２個の照光体４を連結したものを一括して挿入保持させるのが限度であり、３個以上の照光体４を連結したものを一括して挿入保持させることは困難であった。
【０００７】
また、連結部４Ｃが照光体４と一体で直線状に形成されているため、発光体２から発光された光が一方の照光体４からこの連結部４Ｃを通して隣接する他の照光体４へ漏れる光漏れが発生し易いという課題もあった。
【０００８】
本発明は、このような従来の課題を解決するものであり、基体部の複数の収容孔に照光体を挿入保持させる際の組立作業性が良いと共に、外観上の見映えも良く、また、隣接する照光体への光漏れを抑えた照光装置を提供することを目的とする。
【０００９】
【課題を解決するための手段】
上記課題を解決するために本発明の照光装置は、隣接する照光体の受光面と照光面を除く側部の面の間を、照光体と一体の樹脂により細巾のＵ字状に湾曲した帯状に形成され可撓性を有する連結帯で繋れた連結照光体を、基体部の収容孔に挿入保持させるものである。
【００１０】
これにより、基体部の収容孔に照光体を挿入保持させる際の組立作業性が良いと共に、照光体の片寄りが少なくて外観上の見映えが良く、また、隣接する照光体への光漏れを抑えた照光装置を提供することができる。
【００１１】
【発明の実施の形態】
本発明の請求項１に記載の発明は、回路基板に装着された複数個の発光体と、透明または半透明の樹脂により受光面と照光面が対向したブロック状に形成されて所定位置に配列された複数個の照光体、および照光体と一体の樹脂により形成された細巾の湾曲した帯状で、隣接する照光体間を繋ぐ可撓性を有する連結帯を含む連結照光体と、遮光性の材料からなる仕切枠間の収容孔により、前記照光面が露出するように前記照光体を所定位置に配列保持すると共に、前記発光体が前記照光体の前記受光面側に位置するように回路基板を保持する基体部からなり、前記連結照光体の連結帯が、前記各照光体の受光面と照光面を除く側部の面同士を繋ぐ細巾のＵ字状に湾曲した帯状に形成されると共に、二色成形またはインサート成形により前記連結照光体の連結帯と一体に設けられた平板状で不透明の遮光板が、隣接する照光体の間に配された照光装置としたものであり、連結照光体の成形加工時の樹脂の熱収縮による寸法バラツキおよび環境温度変化による寸法変化があっても、照光体を基体部の収容孔に挿入する際には湾曲した連結帯が容易に伸縮するので、三つ以上の照光体を連結した連結照光体としても組立作業性が良く、基体部の収容孔へほぼ片寄りなく照光体を挿入できるので基体部の外観上の見映えの良いものができ、また、連結帯が湾曲していることによって光の通過が抑えられるので隣接する照光体への光漏れを少なくできるという作用を有する。
さらに、連結照光体の連結帯と一体に設けられた平板状で不透明の遮光板が隣接する照光体の間に配されたことによって、隣接する照光体間の空間を通る光を遮って隣接する照光体への光漏れを抑えることができるという作用を有する。
【００１３】
請求項２に記載の発明は、回路基板に装着された複数個の発光体と、透明または半透明の樹脂により受光面と照光面が対向したブロック状に形成されて所定位置に配列された複数個の照光体、および照光体と一体の樹脂により形成された細巾の湾曲した帯状で、隣接する照光体間を繋ぐ可撓性を有する連結帯を含む連結照光体と、遮光性の材料からなる仕切枠間の収容孔により、前記照光面が露出するように前記照光体を所定位置に配列保持すると共に、前記発光体が前記照光体の前記受光面側に位置するように回路基板を保持する基体部からなり、前記連結照光体の連結帯が、各照光体の受光面と照光面を除く側部の面より細巾の直線状の帯状に形成された導出部と、この導出部に対して直角に屈曲して繋がれており、細巾のＵ字状に湾曲した帯状に形成された照光装置からなるものであり、各々の照光体から連結帯を通して隣接する照光体へ漏れる光の大部分を、直角に屈曲した部分で反射および外部への透過によって抑えることができるという作用を有する。
【００１４】
請求項３に記載の発明は、請求項２に記載の発明において、二色成形またはインサート成形により連結照光体の連結帯と一体に設けられた平板状で不透明の遮光板が、隣接する照光体の間に配されたものであり、隣接する照光体間の空間を通る光を遮って隣接する照光体への光漏れを抑えることができるという作用を有する。
【００１５】
請求項４に記載の発明は、回路基板に装着された複数個の発光体付きの押釦スイッチと、透明または半透明の樹脂により受光面と照光面が対向したブロック状に形成されて所定位置に配列された複数個の照光体、および照光体と一体の樹脂により形成された細巾の湾曲した帯状で、隣接する照光体間を繋ぐ可撓性を有する連結帯を含む連結照光体と、遮光性の材料からなる仕切枠間の収容孔により、前記照光面が露出するように前記照光体を所定位置に配列保持すると共に、前記発光体が前記照光体の前記受光面側に位置するように回路基板を保持する基体部からなり、前記連結照光体の連結帯が、各照光体の受光面と照光面を除く側部の面より細巾の直線状の帯状に形成された導出部と、この導出部に対して直角に屈曲して繋がれており、細巾のＵ字状に湾曲した帯状に形成されると共に、前記連結照光体の複数個の照光体が、前記基体部の収容孔により前記受光面と前記照光面が対向する方向に互いに独立して所定の範囲で動き得るように保持され、前記発光体付きの押釦スイッチの操作ボタンを兼ねるものであり、各々の照光体から連結帯を通して隣接する照光体へ漏れる光の大部分を、直角に屈曲した部分で反射および外部への透過によって抑えることができると共に、照光装置を設ける操作パネルの後方に配された押釦スイッチ上の照光体の位置および操作状態が明確になり、しかも操作パネル面の省スペース化が図れるという作用を有する。
【００１６】
請求項５に記載の発明は、請求項４記載の発明において、連結照光体の両端に配された各照光体の外方に、照光体間の連結帯と同様の連結帯で繋がれて基体部に保持されたブロック状のダミー体を形成したものであり、請求項４記載の発明による作用に加えて、連結照光体の両端に配された押釦スイッチの照光体を介した操作フィーリングを他の押釦スイッチの照光体を介した操作フィーリングと合わせることができるという作用を有する。
【００１７】
以下、本発明の実施の形態について、図１〜図８を用いて説明する。
なお、従来の技術の項で説明した構成と同一構成の部分には同一符号を付し、その詳細な説明を省略する。
【００１８】
（実施の形態１）
図１は本発明の第１の実施の形態による照光装置の側面断面図、図２は図１のＡ−Ａ線における平面断面図、図３は同分解斜視図であり、図３は構成が解り易いように図１とは上下を反対にした場合を示している。
【００１９】
同図において、１は回路基板、２は回路基板１上に実装されたＬＥＤ等の複数個の発光体、３は発光体２の駆動回路であり、１１Ａは複数個の発光体２から発光された光を受光面１１Ｂに受けて対向する照光面１１Ｃが照光するように各発光体２の上方に配された透明または半透明の樹脂製ブロック状の複数個の照光体で、複数個の照光体１１Ａの対向する受光面１１Ｂと照光面１１Ｃを除く側部の面の間を、照光体１１Ａと一体の樹脂により細巾のＵ字状に湾曲した帯状に形成された可撓性を有する連結帯１１Ｄにより繋がれて連結照光体１１を形成している。
【００２０】
１２は回路基板１の上方に配置された遮光性の材料からなる基体部で、複数個の照光体１１Ａの上部周縁部１１Ｅを挿入保持するために仕切枠１２Ａの間に設けられた複数の貫通した収容孔１２Ｂを有している。
【００２１】
６は基体部１２に回路基板１を固定するネジであり、回路基板１のネジ挿入孔１Ａを通して、基体部１２のボス１２Ｃのネジ孔１２Ｄにネジ締め固定されている。
【００２２】
次に同照光装置の組立方法について説明すると、細巾のＵ字状に湾曲した帯状の連結帯１１Ｄにより連結された３個の照光体１１Ａからなる連結照光体１１を一括して、基体部１２の複数の収容孔１２Ｂにそれぞれの照光体１１Ａ間の間隔を連結帯１１Ｄの可撓性を利用し伸縮させながら挿入保持させた後、基体部１２に発光体２、駆動回路３等が実装された回路基板１をネジ６により固定するものであり、連結照光体１１の複数個の照光体１１Ａの間隔を連結帯１１Ｄの可撓性により容易に伸縮できるので、組立作業性の良いものである。
【００２３】
なお、上記の例で説明した連結照光体１１に代えて、図４の連結照光体の外観斜視図および図５の照光装置の平面断面図に示すように、連結照光体１３の複数個の照光体１３Ａの側部の面の間を連絡する細巾のＵ字状に湾曲した連結帯１３Ｂの両端と、各照光体１３Ａから突出した導出部１３Ｃとの結合部を直角の屈曲部１３Ｄとしたものを、基体部１４の収容孔１４Ｂにそれぞれ挿入保持することによって、各々の照光体から連結帯１３Ｂを通って隣接する照光体１３Ａへ漏れる光の大部分を、直角の屈曲部１３Ｄで反射および外部への透過によって抑えるようにすることができる。
【００２４】
さらに、上記の例で説明した連結照光体１３に対して、図６の連結照光体の外観斜視図に示すように、細巾の湾曲した帯状の連結帯１５Ｂと一体に、二色成形またはインサート成形により平板状で不透明の遮光板１６を設け、各照光体１５Ａの間に配した連結照光体１５とすることにより、各々の照光体１５Ａおよび導出部１５Ｃ等から空間を通って隣接する照光体１５Ａへの光漏れを抑えることができる。
【００２５】
なお、上記実施の形態では、不透明の遮光板１６を連結帯１５Ｂと一体に設けるものとしたが、同箇所に基体部から一体に遮光壁（図示せず）を設けても同様な効果が得られることは勿論である。
【００２６】
（実施の形態２）
図７は本発明の第２の実施の形態による照光装置付き操作パネルの側面断面図、図８は同連結照光体の外観斜視図であり、同図において、２１は回路基板、２２は回路基板２１上に実装された複数個のＬＥＤ等の発光体２２Ａ付き機能部品としての押釦スイッチ、２３は発光体２２Ａの駆動回路であり、２４Ａは複数個の押釦スイッチ２２の発光体２２Ａから発光された光を受光面２４Ｂが受けて対向する上部の照光面２４Ｃが照光するように各々押釦スイッチ２２の上方に配された透明または半透明の樹脂製ブロック状の複数個の照光体で、複数個の照光体２４Ａの対向する受光面２４Ｂと照光面２４Ｃを除く側部の面の間を、照光体２４Ａと一体の樹脂により細巾のＵ字状に湾曲した帯状に形成された可撓性を有する連結帯２４Ｄにより繋がれて連結照光体２４を形成している。
【００２７】
２５は回路基板２１の上方に配置された遮光性の材料からなる基体部で、複数個の照光体２４Ａの操作ボタンを兼ねた照光面２４Ｃが対向する受光面２４Ｂの方向に所定の範囲で動き得るように保持するための仕切枠２５Ａの間に設けられた複数の貫通した収容孔２５Ｂを有している。
【００２８】
なお、連結照光体２４の両端に配置されたブロック状の２４Ｅはダミー体で、基体部２５の保持孔２５Ｄ内に圧入されて動かないように保持されると共に、各照光体２４Ａと同様の連結帯２４Ｄで両端の照光体２４Ａと繋がれることによって、両端の照光体２４Ａの受光面２４Ｂと照光面２４Ｃが対向する方向への動きを他の中間位置の照光体２４Ａの動きに合わせるためのものである。
【００２９】
そして、２６は基体部２５に回路基板２１を固定するネジであり、回路基板２１のネジ挿入孔（図示せず）に通して、基体部２５のボス２５Ｃのネジ孔（図示せず）にネジ締め固定されている。
【００３０】
このように構成された基体部２５の収容孔２５Ｂより突出した照光体２４Ａの操作ボタンを兼ねた照光面２４Ｃを指等で押圧することにより、下方に配された押釦スイッチ２２がオンとなり、押圧をやめると押釦スイッチ２２がオフとなって、押釦スイッチ２２の復帰力および連結照光体２４の連結帯２４Ｄの弾性復帰力により、元の状態に戻るものであり、照光体２４Ａを発光体２２Ａ付き押釦スイッチ２２のような機能部品の操作ボタンとして兼用できるものである。
【００３１】
なお、照光装置が小さい場合等には、上記の連結照光体２４の両端に設けたダミー体２４Ｅを設けなくても機能部品の操作ボタンを兼ねる照光体２４Ａとしての機能を果たすことができることはいうまでもない。
【００３２】
【発明の効果】
以上のように本発明によれば、複数個の照光体の間を、照光体と一体の樹脂により形成された細巾の湾曲した帯状の可撓性を有する連結帯で繋いだ連結照光体とすることにより、基体部の収容孔への照光体の組立作業性が良く、外観上の見映えも良いと共に、隣接する照光体への光漏れを抑えることができる照光装置を得ることができるという有利な効果が得られる。
【図面の簡単な説明】
【図１】本発明の第１の実施の形態による照光装置の側面断面図
【図２】図１のＡ−Ａ線における平面断面図
【図３】同分解斜視図
【図４】連結照光体の外観斜視図
【図５】照光装置の平面断面図
【図６】連結照光体の外観斜視図
【図７】本発明の第２の実施の形態による照光装置付き操作パネルの側面断面図
【図８】同連結照光体の外観斜視図
【図９】従来の照光装置の側面断面図
【図１０】同分解斜視図
【符号の説明】
１  回路基板
１Ａ  ネジ挿入孔
２  発光体
３  駆動回路
６  ネジ
１１，１３，１５  連結照光体
１１Ａ，１３Ａ，１５Ａ  照光体
１１Ｂ  受光面
１１Ｃ  照光面
１１Ｄ  連結帯
１１Ｅ  上部周縁部
１２，１４  基体部
１２Ａ  仕切枠
１２Ｂ，１４Ｂ  収容孔
１２Ｃ  ボス
１２Ｄ  ネジ孔
１３Ｂ，１５Ｂ  連結帯
１３Ｃ，１５Ｃ  導出部
１３Ｄ  屈曲部
１６  遮光板
２１  回路基板
２２  発光体付き押釦スイッチ
２２Ａ  発光体
２３  駆動回路
２４  連結照光体
２４Ａ  照光体
２４Ｂ  受光面
２４Ｃ  照光面
２４Ｄ  連結帯
２４Ｅ  ダミー体
２５  基体部
２５Ａ  仕切枠
２５Ｂ  収容孔
２５Ｃ  ボス
２５Ｄ  保持孔
２６  ネジ
【図１】
0003820726.tif 000002
【図２】
0003820726.tif 000003
【図３】
0003820726.tif 000004
【図４】
0003820726.tif 000005
【図５】
0003820726.tif 000006
【図６】
0003820726.tif 000007
【図７】
0003820726.tif 000008
【図８】
0003820726.tif 000009
【図９】
0003820726.tif 000010
【図１０】
0003820726.tif 000011